(57)【要約】【課題】ナイキスト第１基準を満たし符号間干渉を発生させないという条件下で帯域外輻射レベルが低減されたＯＦＤＭ信号を送信する送信装置を提供する。【解決手段】直並列変換器１により、１系列の送信シンボル列をＬ（サブキャリア数）本の系列の並列送信シンボル列に変換する。Ｌ本の系列の並列送信シンボル列は、ＩＦＴ２によりＯＦＤＭ信号に変換される。変換結果のＩ，Ｑチャネル信号は、ルート・ロールオフフィルタ３Ｉ，３Ｑによりスペクトル整形された後に、乗算器４Ｉ，４Ｑに入力されて、直交変調される。受信機側において、乗算器９Ｉ，９Ｑから出力される直交復調信号のＩ，Ｑチャネル信号は、ルート・ロールオフフィルタ１１Ｉ，１１Ｑによりスペクトル整形された後にＦＴ部１２に入力される。【選択図】  図１
2004173153.tif 000002
【特許請求の範囲】
【請求項１】
並列送信シンボル列を入力してＯＦＤＭ信号を出力する逆フーリエ変換手段と、
該逆フーリエ変換手段から出力される前記ＯＦＤＭ信号を入力し帯域制限をする送信フィルタと、
該送信フィルタの出力を直交変調することにより受信装置に送信する送信信号を出力する送信手段を有する送信装置であって、
前記受信装置側の受信フィルタを含めた総合伝送特性が、ナイキスト第１基準を満たすロールオフ特性であり、
前記送信フィルタは、前記ナイキスト第１基準を満たすロールオフ特性の一部を分配された特性であり、かつ、前記逆フーリエ変換手段が出力する前記ＯＦＤＭ信号の帯域外輻射レベルを低減する特性を有する、
ことを特徴とする送信装置。
【請求項２】
前記送信フィルタの特性は、前記ナイキスト第１基準を満たすロールオフ特性を前記受信フィルタとの間で等分配した特性であることを特徴とする請求項１に記載の送信装置。
【請求項３】
前記ナイキスト第１基準を満たすロールオフ特性は、２乗余弦ロールオフ特性であることを特徴とする請求項１または２に記載の送信装置。
【請求項４】
前記ナイキスト第１基準を満たすロールオフ特性の遷移領域における前記総合伝送特性は、前記ナイキスト第１基準を満たすロールオフ特性となる基本伝達関数と、前記遷移領域の中心周波数に対し奇関数である１または複数の補正伝達関数との和であって、前記基本伝達関数よりも帯域外出力信号電力レベルを低減する特性を有するように補正された伝達関数で表され、
前記受信フィルタの特性は、前記基本伝達関数の一部が分配された伝達関数で表され、
前記送信フィルタの特性は、前記総合伝送特性の伝達関数を前記受信フィルタの伝達関数で除算した伝達関数で表される、
ことを特徴とする請求項１に記載の送信装置。
【請求項５】
前記遷移領域における、前記基本伝達関数の重み係数および前記１または複数の補正伝達関数の各重み係数は、前記帯域外輻射レベルを、所定の境界周波数を超える帯域外の側の周波数領域における電力密度の積分値とみなし、該帯域外輻射レベルが最小となるように最適化されたものである、
ことを特徴とする請求項４に記載の送信装置。
【請求項６】
前記所定の境界周波数は、前記ナイキスト第１基準を満たすロールオフ特性の遷移領域の範囲内であって、かつ、該遷移領域の中心周波数よりも帯域外寄りにある周波数に設定されたものである、
ことを特徴とする請求項５に記載の送信装置。
【請求項７】
前記遷移領域における、前記１または複数の補正伝達関数は、奇数次の余弦関数となるものであり、
前記総合伝送特性の伝達関数は、前記遷移領域の両端の各周波数において連続している、
ことを特徴とする請求項４から６までのいずれか１項に記載の送信装置。
【請求項８】
前記基本伝達関数は、２乗余弦ロールオフ特性であることを特徴とする請求項４から７までのいずれか１項に記載の送信装置。
【請求項９】
総合伝送特性がナイキスト第１基準を満たすロールオフ特性となるように、該総合伝送特性が他のフィルタとの間で配分された特性を実現するトランスバーサルフィルタであって、
前記ナイキスト第１基準を満たすロールオフ特性の遷移領域における前記総合伝送特性は、前記ナイキスト第１基準を満たすロールオフ特性となる基本伝達関数と、前記遷移領域の中心周波数に対し奇関数で表される１または複数の補正伝達関数との和であって、前記基本伝達関数よりも帯域外出力信号電力レベルを低減する特性を有するように補正された伝達関数で表され、
前記他のフィルタの特性は、前記基本伝達関数の一部が分配された伝達関数で表され、
前記トランスバーサルフィルタの特性が前記総合伝送特性の伝達関数を前記他のフィルタの伝達関数で除算した伝達関数で表されるように、タップ係数が設定されている、
ことを特徴とするトランスバーサルフィルタ。
【請求項１０】
前記遷移領域における、前記基本伝達関数の重み係数および前記１または複数の補正伝達関数の各重み係数は、前記帯域外出力信号電力レベルを、所定の境界周波数を超える帯域外の側の周波数領域における電力密度の積分値とみなし、該帯域外出力信号電力レベルが最小となるように最適化されたものである、
ことを特徴とする請求項９に記載のトランスバーサルフィルタ。
【請求項１１】
前記所定の境界周波数は、前記ナイキスト第１基準を満たすロールオフ特性の遷移領域の範囲内であって、かつ、該遷移領域の中心周波数よりも帯域外寄りにある周波数に設定されたものである、
ことを特徴とする請求項１０に記載のトランスバーサルフィルタ。
【請求項１２】
前記遷移領域における、前記１または複数の補正伝達関数は、奇数次の余弦関数となるものであり、
前記総合伝送特性の伝達関数は、前記遷移領域の両端の各周波数において連続している、
ことを特徴とする請求項９から１１までのいずれか１項に記載のトランスバーサルフィルタ。
【請求項１３】
前記基本伝達関数は、２乗余弦ロールオフ特性であることを特徴とする請求項９から１２までのいずれか１項に記載のトランスバーサルフィルタ。
【発明の詳細な説明】
【０００１】
【発明の属する技術分野】
本発明は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）通信システムにおいて使用する送信装置、および、符号間干渉を発生させることなく帯域外出力信号電力レベルを低減するトランスバーサルフィルタに関するものである。
【０００２】
【従来の技術】
無線ＬＡＮ（ＩＥＥＥ８０２．１１ａ規格、非特許文献１参照）やディジタル音声・映像通信システム等の種々の無線通信システムにおいて、直交する複数のサブキャリアを用いるＯＦＤＭ通信技術が用いられている。
図９は、従来のＯＦＤＭ通信システムのブロック構成図である。
図中、１は直並列変換器、２はＩＦＴ（Ｉｎｖｅｒｓｅ  Ｆｏｕｒｉｅｒ  Ｔｒａｎｓｆｏｒｍ：逆フーリエ変換）部である。送信データは、ディジタル変調（ＢＰＳＫ，ＱＰＳＫ，１６ＱＡＭ等）された後の送信シンボル（複素数）列として、直並列変換器１に入力され、Ｌ本の並列送信シンボル（複素数）列に変換されて、ＩＦＴ２に出力される。
ここで、Ｌは、ＯＦＤＭ信号のサブキャリア数である。すなわち、直並列変換器１は、並列送信シンボル（複素数）列により、互いに直交関係にある各サブキャリアを変調する信号の複素振幅を指定する。ＩＦＴ２は、サブキャリアの各複素振幅に対応した波形を生成し、Ｉチャネル（実数部），Ｑチャネル（虚数部）別にＯＦＤＭ信号を出力する。ＩＦＴ２は、通常、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）などのＩＤＦＴ（Ｉｎｖｅｒｓｅ  Ｄｉｓｃｒｅｔｅ  Ｆｏｕｒｉｅｒ  Ｔｒａｎｓｆｏｒｍ：離散逆フーリエ変換）を用いてディジタル信号処理で実現される。
【０００３】
４１は振幅制御部、４Ｉ，４Ｑは乗算器、５はキャリア（搬送波）信号発振器、６は加算器、７は伝送路である。
振幅制御部４１は、ＩＦＴ２から出力されるＩチャネル，Ｑチャネル別のＯＦＤＭ信号を、それぞれ、各シンボルの境界で振幅を滑らかに減衰させる。具体的には、図１０を参照して後述する。
振幅制御されたＩチャネルの時間軸波形は直交変調される。すなわち、乗算器４Ｉにおいて、キャリア（搬送波）信号発振器５の同相出力と乗算され、加算器６に出力される。一方、振幅制御されたＱチャネル時間軸波形は、乗算器４Ｑにおいて、キャリア信号発振器５のπ／２移相出力と乗算され、加算器６に出力される。加算器６は、乗算器４Ｉ，４Ｑの出力を加算したものを、ＯＦＤＭ信号として伝送路７に出力する。
【０００４】
ＩＦＴ２にＩＤＦＴを使用し、振幅制御部４１もディジタル処理で実現する場合は、振幅制御部４１の出力は、図示しないＤ／Ａ変換器でアナログ信号に変換された上で乗算器４Ｉ，４Ｑに供給される。
また、現実の装置構成では、加算信号は、直接に高周波帯（ＲＦ）の信号となって伝送路７に出力されるか、あるいは、一旦、中間周波数帯（ＩＦ）の信号となり、この後、高周波帯（ＲＦ）に周波数変換されて伝送路７（無線伝送路）に出力される。
通常は、ＯＦＤＭ信号の１シンボル区間の先頭部にガードタイムが挿入されるが、図示を省略している。以上が送信機側の構成である。
【０００５】
受信機側においては送信機側の処理の逆を行う。８は分岐部、９Ｉ，９Ｑは乗算器、１０はキャリア信号発振器である。受信機側においては、分岐部８において、受信されたＯＦＤＭ信号を、Ｉチャネル系の乗算器９ＩおよびＱチャネル系の乗算器９Ｑに供給する。各乗算器９Ｉ，９Ｑにおいて、受信されたＯＦＤＭ信号は、送信機側のキャリア信号発振器５と位相同期して同じ周波数で発振するキャリア信号発振器１０からの同位相出力，π／２移相出力と乗算されることにより、直交復調される。直交復調されたＩチャネル，ＱチャネルのＯＦＤＭ信号は、ＦＴ（Ｆｏｕｒｉｅｒ  Ｔｒａｎｓｆｏｒｍ：フーリエ変換）部１２に出力される。
【０００６】
ＦＴ部１２は、ＯＦＤＭ信号を構成する複数の各サブキャリアを変調する信号の複素振幅を抽出して並直列変換器１３に出力する。並直列変換器１３は、直列化された受信シンボル（複素数）列を出力する。受信シンボル（複素数）列は、送信機側のディジタル変調に対応した変調方式に基づいてディジタル復調されて受信データが得られる。
ＦＴ部１２は、通常、ＦＦＴ（Ｆａｓｔ  Ｆｏｕｒｉｅｒ  Ｔｒａｎｓｆｏｒｍ：高速フーリエ変換）などのＤＦＴ（Ｄｉｓｃｒｅｔｅ  Ｆｏｕｒｉｅｒ  Ｔｒａｎｓｆｏｒｍ：離散フーリエ変換）を用いてディジタル信号処理で実現される。ＤＦＴを使用する場合は、乗算器９Ｉ，９Ｑの出力は、図示しないＡ／Ｄ変換器でディジタル信号に変換された上でＦＴ部１２に供給される。
【０００７】
ＩＦＴ部２から出力される時間軸波形の周波数スペクトルは、サブキャリア数が非常に多ければ矩形状の理想的な周波数スペクトルに近づく。しかし、サブキャリアの本数がさほど多くない場合は、周波数スペクトルが広がっている。伝送路７として、無線伝送路を使用する場合、通信システムに割り当てられた帯域外への不要輻射レベルが規格によって制限されている。従って、割り当てられた帯域の限度までサブキャリアを立てられないこととなり、周波数の利用効率が低下するという問題がある。
各変調されたサブキャリアを予め帯域制限してからこれらを合成することが考えられる。しかし、ＩＦＴ２を用いる場合には、ＩＦＴ２内で変調を行うことになるので、この方法は適用できない。
【０００８】
そこで、従来、ＯＦＤＭ信号の帯域外成分を抑圧するために、図９に示した振幅制御部４１を挿入することが、例えば、非特許文献１のｐ．１０，１１で知られている。
図１０は、送信機側における振幅制御（Ｗｉｎｄｏｗｉｎｇ）を説明するための窓関数の説明図である。
図中、５１，５２，５３は、それぞれ、隣接する３シンボル区間のＯＦＤＭ信号に乗算するウインドウである。
図示の各ウインドウ５１，５２，５３は、ＯＦＤＭ信号の１シンボル区間を若干超える範囲の時間幅を有し、滑らかに立ち上がり滑らかに立ち下がる時間領域の窓関数である。ＯＦＤＭ信号は、送信されるシンボルの値の変化によって、各シンボル区間の境界において波形が非連続で変化する場合がある。このような場合に、帯域外輻射成分が発生する。そこで、ＩＦＴ２が出力する時間軸波形と窓関数とを乗算することにより、各シンボル区間の境界において、ＯＦＤＭ送信信号が滑らかに減衰することになり、その結果、帯域外輻射成分が減少する。
【０００９】
図１１は、従来のＯＦＤＭ通信システムにおける、出力信号電力スペクトルを示すグラフである。１個のＯＦＤＭシンボル区間の両端の信号振幅を２乗余弦（ｒａｉｓｅｄ  ｃｏｓｉｎｅ）の時間領域窓関数（ロールオフ率０．０２５）でスペクトル整形して１シンボル区間境界での振幅制限をした場合と、このような振幅制限をしない場合について示す。横軸は、図９に示した直並列変換器１によって直並列変換される前の、元の複素送信シンボルのシンボルレート（シンボル／ｓｅｃ）が１となるように正規化された周波数である。
ＯＦＤＭ信号を伝送するのに必要な所要帯域は、上述した正規化周波数の０．５である。０．５を超える周波数帯域にある電力スペクトルの積分値が帯域外輻射レベルとなる。
図１１から明らかなように、振幅制御により帯域外輻射レベルの低減が実現されている。しかし、いまだ充分とは言えない。無線ＬＡＮでＯＦＤＭ信号を使用するには、電力密度を少なくとも−６０ｄＢ程度まで低減させたいという要望がある。時間領域ウインドウのロールオフ率を大きくすれば、帯域外輻射レベルは低減されるが、符号間干渉が発生するため、サブキャリア間の直交性を保つことができなくなり、データレートを下げなければならないので、結局、周波数利用効率が低下する。
【００１０】
上述した非特許文献１には、上述したウインドウイング以外の方法として、周波数領域でフィルタをかけることが示唆されているように、実際に、バターワースフィルタやチェビシェフフィルタなどのアナログフィルタを用いた研究論文もあるが、帯域外輻射を大きく低減させる設計にすると、フィルタの遷移領域の特性によって帯域境界近傍のサブキャリアの変調信号が非対称となりナイキスト基準を満たさなくなるため、符号間干渉が発生し、複素送信シンボル列は、受信側で完全には復元されない。
【００１１】
【非特許文献１】
Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  ｓｐｅｃｉｆｉｃａｔｉｏｎｓ  Ｈｉｇｈ−ｓｐｅｅｄ  Ｐｈｙｓｉｃａｌ  Ｌａｙｅｒ  ｉｎ  ｔｈｅ  ５  ＧＨｚ  Ｂａｎｄ＜ＵＲＬ：  ＨＹＰＥＲＬＩＮＫ  ”ｈｔｔｐ：／／ｓｔａｎｄａｒｄｓ．ｉｅｅｅ．ｏｒｇ／ｇｅｔｉｅｅｅ８０２／ｄｏｗｎｌｏａｄ／８０２．１１ａ−１９９９．ｐｄｆ”  ｈｔｔｐ：／／ｓｔａｎｄａｒｄｓ．ｉｅｅｅ．ｏｒｇ／ｇｅｔｉｅｅｅ８０２／ｄｏｗｎｌｏａｄ／８０２．１１ａ−１９９９．ｐｄｆ＞
【００１２】
【発明が解決しようとする課題】
本発明は、上述した問題点を解決するためになされたもので、ナイキスト第１基準を満たし、符号間干渉を発生させないという条件下で帯域外輻射レベルが低減されたＯＦＤＭ信号を送信する送信装置、および、この送信装置の送信フィルタとして用いることができる、符号間干渉を発生させないという条件下で帯域外出力信号電力レベルを低減させるトランスバーサルフィルタを提供することを目的とするものである。
【００１３】
【課題を解決するための手段】
本発明は、請求項１に記載の発明においては、並列送信シンボル列を入力してＯＦＤＭ信号を出力する逆フーリエ変換手段と、該逆フーリエ変換手段から出力される前記ＯＦＤＭ信号を入力し帯域制限をする送信フィルタと、該送信フィルタの出力を直交変調することにより受信装置に送信する送信信号を出力する送信手段を有する送信装置であって、前記受信装置側の受信フィルタを含めた総合伝送特性が、ナイキスト第１基準を満たすロールオフ特性であり、前記送信フィルタは、前記ナイキスト第１基準を満たすロールオフ特性の一部を分配された特性であり、かつ、前記逆フーリエ変換手段が出力する前記ＯＦＤＭ信号の帯域外輻射レベルを低減する特性を有するものである。
従って、ナイキスト第１基準を満たし符号間干渉を発生させないという条件下で、帯域外輻射レベルが低減されたＯＦＤＭ信号を送信できる。
【００１４】
請求項２に記載の発明においては、請求項１に記載の送信装置において、前記送信フィルタの特性は、前記ナイキスト第１基準を満たすロールオフ特性を前記受信フィルタとの間で等分配した特性であるものである。
【００１５】
請求項３に記載の発明においては、請求項１または２に記載の送信装置において、前記ナイキスト第１基準を満たすロールオフ特性は、２乗余弦ロールオフ特性であるものである。
【００１６】
請求項４に記載の発明においては、請求項１に記載の送信装置において、前記ナイキスト第１基準を満たすロールオフ特性の遷移領域における前記総合伝送特性は、前記ナイキスト第１基準を満たすロールオフ特性となる基本伝達関数と、前記遷移領域の中心周波数に対し奇関数である１または複数の補正伝達関数との和であって、前記基本伝達関数よりも帯域外出力信号電力レベルを低減する特性を有するように補正された伝達関数で表され、前記受信フィルタの特性は、前記基本伝達関数の一部が分配された伝達関数で表され、前記送信フィルタの特性は、前記総合伝送特性の伝達関数を前記受信フィルタの伝達関数で除算した伝達関数で表されるものである。
従って、１または複数の補正伝達関数を用いることにより、単に基本伝達関数のロールオフ率を変更するだけよりも、遷移領域の特性を決定する自由度が増すので、ＯＦＤＭ信号の帯域外輻射レベルを低減する特性を得るための設計が容易になる。
１または複数の補正伝達関数として、例えば、遷移領域の中心周波数に対し奇関数であり、かつ、直交する周期関数を用いれば、さらに設計が容易になる。
【００１７】
請求項５に記載の発明においては、請求項４に記載の送信装置において、前記遷移領域における、前記基本伝達関数の重み係数および前記１または複数の補正伝達関数の各重み係数は、前記帯域外輻射レベルを、所定の境界周波数を超える帯域外の側の周波数領域における電力密度の積分値とみなし、該帯域外輻射レベルが最小となるように最適化されたものである。
従って、容易にＯＦＤＭ信号の帯域外輻射レベルを低減する特性を得ることができる。
【００１８】
請求項６に記載の発明においては、請求項５に記載の送信装置において、前記所定の境界周波数は、前記ナイキスト第１基準を満たすロールオフ特性の遷移領域の範囲内であって、かつ、該遷移領域の中心周波数よりも帯域外寄りにある周波数に設定されたものである。
従って、基本伝達関数のロールオフ率を実質的に小さくして、帯域幅の広がりを抑えることができる。
【００１９】
請求項７に記載の発明においては、請求項４から６までのいずれか１項に記載の送信装置において、前記遷移領域における、前記１または複数の補正伝達関数は、奇数次の余弦関数となるものであり、前記総合伝送特性の伝達関数は、前記遷移領域の両端の各周波数において連続しているものである。
従って、容易にＯＦＤＭ信号の帯域外輻射レベルを低減する特性を実現することができる。
【００２０】
請求項８に記載の発明においては、請求項４から７までのいずれか１項に記載の送信装置において、前記基本伝達関数は、２乗余弦ロールオフ特性であるものである。
【００２１】
請求項９に記載の発明においては、総合伝送特性がナイキスト第１基準を満たすロールオフ特性となるように、該総合伝送特性が他のフィルタとの間で配分された特性を実現するトランスバーサルフィルタであって、前記ナイキスト第１基準を満たすロールオフ特性の遷移領域における前記総合伝送特性は、前記ナイキスト第１基準を満たすロールオフ特性となる基本伝達関数と、前記遷移領域の中心周波数に対し奇関数で表される１または複数の補正伝達関数との和であって、前記基本伝達関数よりも帯域外出力信号電力レベルを低減する特性を有するように補正された伝達関数で表され、前記他のフィルタの特性は、前記基本伝達関数の一部が分配された伝達関数で表され、前記トランスバーサルフィルタの特性が前記総合伝送特性の伝達関数を前記他のフィルタの伝達関数で除算した伝達関数で表されるように、タップ係数が設定されているものである。
従って、ナイキスト第１基準を満たし符号間干渉を発生させないという条件下で、帯域外出力信号電力レベルが低減された信号を出力することができる。１または複数の補正伝達関数を用いることにより、単に基本伝達関数のロールオフ率を変更するだけよりも、遷移領域の特性を決定する自由度が増すので、帯域外出力信号電力レベルを低減する特性を得るための設計が容易になる。
１または複数の補正伝達関数として、例えば、遷移領域の中心周波数に対し奇関数であり、かつ、直交する周期関数を用いれば、さらに設計が容易になる。
【００２２】
請求項１０に記載の発明においては、請求項９に記載のトランスバーサルフィルタにおいて、前記遷移領域における、前記基本伝達関数の重み係数および前記１または複数の補正伝達関数の各重み係数は、前記帯域外出力信号電力レベルを、所定の境界周波数を超える帯域外の側の周波数領域における電力密度の積分値とみなし、該帯域外出力信号電力レベルが最小となるように最適化されたものである。
従って、容易に、帯域外出力信号電力レベルを低減する特性を得ることができる。
【００２３】
請求項１１に記載の発明においては、請求項１０に記載のトランスバーサルフィルタにおいて、前記所定の境界周波数は、前記ナイキスト第１基準を満たすロールオフ特性の遷移領域の範囲内であって、かつ、該遷移領域の中心周波数よりも帯域外寄りにある周波数に設定されたものである。
従って、基本伝達関数のロールオフ率を実質的に小さくして、帯域幅の広がりを抑えることができる。
【００２４】
請求項１２に記載の発明においては、請求項９から１１までのいずれか１項に記載のトランスバーサルフィルタにおいて、前記遷移領域における、前記１または複数の補正伝達関数は、奇数次の余弦関数となるものであり、前記総合伝送特性の伝達関数は、前記遷移領域の両端の各周波数において連続しているものである。
従って、容易に帯域外出力信号レベルを低減する特性を実現することができる。
【００２５】
請求項１３に記載の発明においては、請求項９から１２までのいずれか１項に記載のトランスバーサルフィルタにおいて、前記基本伝達関数は、２乗余弦ロールオフ特性である。
【００２６】
【発明の実施の形態】
図１は、本発明の第１実施形態の説明図である。図１（ａ）はブロック構成図、図１（ｂ）は動作説明図である。
図１（ａ）中、従来例の図９と同様な部分には、同じ符号を付している。３Ｉ，３Ｑは送信機側のルート・ロールオフフィルタ（ｒｏｏｔ  ｒｏｌｌ−ｏｆｆ  ｆｉｌｔｅｒ）、１１Ｉ，１１Ｑは受信機側のルート・ロールオフフィルタである。
送信機側では直並列変換器１により、１系列の送信シンボル列をＬ（サブキャリア数）本の系列の並列送信シンボル列に変換する。得られたＬ本の系列の並列送信シンボル列は、ＩＦＴ２によりＯＦＤＭ信号に変換される。変換結果のＩ，Ｑチャネル信号は、ルート・ロールオフフィルタ３Ｉ，３Ｑによりスペクトル整形（周波数領域では帯域制限されることになる）された後に、乗算器４Ｉ，４Ｑに入力されて、直交変調され、ＩＦないしＲＦ信号を得る。
【００２７】
受信機側において、乗算器９Ｉ，９Ｑから出力される直交復調信号のＩ，Ｑチャネル信号は、ルート・ロールオフフィルタ１１Ｉ，１１Ｑによりスペクトル整形された後に、ＦＴ部１２に入力される。
図中、符号１４で指示される囲み部分は、送信機側のＩＦＴ２から出力されるＯＦＤＭ信号が、伝送路７を経由して受信されＦＴ１２に入力されるまでの実質的な伝送路を示す。この伝送路において、送信機側のルート・ロールオフフィルタ３Ｉ，３Ｑおよび受信機側のルート・ロールオフフィルタ１１Ｉ，１１Ｑの両者の特性を合わせた総合伝送特性（伝達関数の乗算）をロールオフ特性とする。
このとき、送信機側のルート・ロールオフフィルタ３Ｉ，３Ｑは、ナイキスト第１基準を満たすロールオフ特性の一部を分配された特性であり、かつ、ＩＦＴ２が出力するＯＦＤＭ信号の帯域外輻射レベルを低減する特性を有する。
【００２８】
理想低域通過フィルタの遮断周波数に対し奇関数となる伝達関数を、この理想低域通過フィルタの伝達関数に加算した伝達関数は、ナイキスト第１基準を満足する。
満足する伝達関数のうち、伝達関数が連続しており、かつ、周波数に対する伝達関数の傾きも連続していて滑らかに変化する特性となるものを、本明細書ではロールオフ特性という。特に、遷移領域が２乗余弦（ｒａｉｓｅｄ  ｃｏｓｉｎｅ）のものを２乗余弦ロールオフ特性という。
総合伝送特性がナイキスト第１基準を満足することから、シンボル間干渉がなく、送信シンボルが完全に再現される。この条件の下で、帯域外輻射レベルを従来よりも低減できる。
【００２９】
上述した通信システムが送信シンボル列を完全に復元できることは、意外に思われるかもしれない。従って、従来のシングルキャリア（単一搬送波）使用の通信システムと対比して詳しく説明する。
図１２は、比較例としての、従来のシングルキャリア通信システムのブロック構成図およびロールオフ特性を示すグラフである。
図１２（ａ）はルート・ロールオフフィルタを使用した従来のシングルキャリア通信システムのブロック構成図である。図１２（ｂ）はロールオフ特性の伝達関数を示すグラフである。
図１２（ａ）中、図９と同様な部分には同じ符号を付している。６１Ｉ，６１Ｑは送信機側のルート・ロールオフフィルタ、６２Ｉ，６２Ｑは、受信機側のルート・ロールオフフィルタである。
符号６３で指示される囲み部分は、１系列の複素送信シンボル列が、伝送路７を経由して受信され複素受信シンボル列として復元されるまでの実質的な伝送路を示す。この実質的な伝送路において、送信機側および受信機側の両ルート・ロールオフフィルタの特性を合わせる（伝達関数の乗算）ことにより、この実質的な伝送路において、ロールオフ特性が実現される。
【００３０】
図１２（ｂ）は、２乗余弦（ｒａｉｓｅｄ  ｃｏｓｉｎｅ）ロールオフ特性の伝達特性を示すグラフである。横軸は正規化周波数、縦軸は出力（リニアスケール）である。正規化周波数が負の側の特性については図示を省略しているが、左右対称である。
周波数の正規化は、送信シンボル列のシンボルレート（シンボル間隔の逆数）が１となるように正規化している。このとき、出力レベルが１／２（６ｄＢ）に低下する周波数は０．５である。
ロールオフ率をα＝１．０，０．２，０．１とした３通りの場合のロールオフ特性を示している。ロールオフ率がαのときは、正規化周波数で（１−α）／２から（１＋α）／２までが２乗余弦（ｒａｉｓｅｄ  ｃｏｓｉｎｅ）状に遷移する肩特性の領域（遷移領域）となる。
ロールオフ特性の送信機，受信機への伝達特性の分配は、符号間干渉をなくすという単一の目的からすれば任意でよく、通常は、送信機側，受信機側の特性を同じにした２乗余弦のルート・ロールオフフィルタが用いられる。
図１２（ａ）に示したルートオフ特性の伝送路構成において、受信信号を正しいタイミングでサンプリングできれば（サンプル点が正しければ）、送信シンボル列が受信機において符号間干渉なく、完全に復元できることがナイキスト第１基準として知られている。
【００３１】
一方、図１（ａ）に示した本発明の実施の一形態を示すブロック図において、実質的な伝送路として点線で囲んだ１４の部分は、図１２に示した従来のシングルキャリア通信システムを示すブロック図において、実質的な伝送路として点線で囲んだ６３の部分に対応する。
そこで、送信機側におけるＩＦＴ２の後の変換データ（ＯＦＤＭ信号）を送信シンボル列と見なす。この送信シンボル列に対して、ルート・ロールオフフィルタ３Ｉ，３Ｑ，１１Ｉ，１１Ｑでナイキストの第１基準を満たす帯域制限をかけ、かつ、送受信機間でシンボル同期がとられていて、受信側で正しいタイミングでサンプリングすれば、ＩＦＴ２の後の変換データ（ＯＦＤＭ信号）と受信機側におけるＦＴ１２への入力信号（ＯＦＤＭ信号）とは一致する。さらに、受信機側におけるＦＴ１２は、送信機側におけるＩＦＴ２の前の並列複素シンボルと同じ並列複素シンボルを出力する。従って、複素送信シンボル列を受信側において完全に復元できる。
【００３２】
ＩＦＴ２後の変換データ（ＯＦＤＭ信号）全体を１系統の送信シンボル列と見なし、この送信シンボル列に対してナイキストの第１基準を満たす帯域制限をかけている。ＯＦＤＭ信号の１シンボル区間に、Ｍ個のサンプリング点が含まれることから、見かけ上の伝送速度がＭ倍となっている。ＭをＩＦＴ２のポイント数という。
従って、Ｍ倍の帯域幅のロールオフフィルタで帯域制限し、受信機側でＭ倍のサンプリング点（ＯＦＤＭ信号の１シンボル区間中に、Ｍ個のサンプリング点）でサンプリングすれば、このサンプリング点の出力に基づいて、元の１系列の複素送信シンボルが復元できる。ここで、Ｍ倍のサンプリング点でのサンプリングは、ＦＴ部１２で行われる。ＦＴ部１２では、Ｍ倍のサンプリングによって、直交する各サブキャリアを変調する変調信号の複素振幅を抽出する。
ＯＦＤＭの信号構成にもよるが、ＩＦＴ２のポイント数は、通常、ＯＦＤＭ信号のサブキャリア数（Ｌ）に等しくされる。従って、以下では、説明を簡単にするため、サブキャリア数（Ｌ）はＩＦＴ２のポイント数（Ｍ）に等しいとして、Ｍをサブキャリア数ともいう。
【００３３】
図１（ｂ）にＭ＝４の場合の例を示す。ＯＦＤＭ信号のうち１キャリアの１シンボルを示しており、１ＯＦＤＭシンボル区間で１周期の正弦波１５を出力する場合を示している。ＯＦＤＭシンボルの区間長をＴｓとすると、サンプリング間隔はＴｓ／Ｍ＝Ｔｓ／４となる。サンプリング間隔の逆数の１／２をナイキスト周波数（正規化周波数＝０．５）として、ナイキストの第１基準を満たす送受信フィルタを採用すれば、図に示すように、サンプリング間隔Ｔｓ／Ｍで零交差するようなインパルスレスポンス１６ａ〜１６ｄをもつから、正しいサンプリング点でサンプルされれば、１７ａ〜１７ｄのように、複素送信シンボル列が符号間干渉なく、受信側で完全に復元できるのは明らかである。
図１（ｂ）ではキャリア数を１としたが、キャリア数を複数とする場合でも、各キャリアに対応する変調信号が送信フィルタ入力で線形加算されるだけなので、同様に複素送信シンボル列は完全に復元できる。ＯＦＤＭ信号のサンプリング間隔はＴｓ／Ｍであるため、サンプリング周波数はＭ／Ｔｓ、ナイキスト周波数はＭ／２Ｔｓとなる。
【００３４】
ロールオフ特性を有する−６ｄＢ通過帯域内（正規化周波数で−０．５から＋０．５まで）において、ＯＦＤＭ信号に含まれるＭ本のサブキャリアが配置される。このうち、帯域の端部に近いサブキャリアの変調信号ほど、帯域制限の影響を受けやすいが、ロールオフ特性を有することにより、ナイキストの第１基準を満足するから、帯域の端部に近いサブキャリアの変調信号に対しても、符号間干渉を生じることがない。
なお、送信シンボル列が完全に復元できるのは、雑音・干渉・伝搬路のひずみ・無線装置の固定劣化がない場合であり、例えば、サンプルタイミング誤差等の固定劣化や干渉波がある場合には送信シンボル列の復元が不完全になる場合がある。
【００３５】
この実施の形態による送信電力スペクトルは、以下の手順で計算される。
初めに、並列変換された変換データ列を定義する。記号ａｍｎは、ｍ番目のサブキャリアのｎ番目の変換データ列を示す。ｆ（ｔ）はルート・ロールオフフィルタのインパルス応答である。ｗｍはｍ番目のサブキャリアの角周波数、Ｔｓは送信側における直並列変換後の並列シンボル列のシンボル間隔（ＯＦＤＭ信号のシンボル区間長）としたとき、スペクトル整形フィルタ（ルート・ロールオフフィルタ）の出力は次式となる。
【数１】
2004173153.tif 000003
上述したスペクトル整形フィルタ出力ｖ１（ｔ）の自己相関関数Ｒ（ｔ）は、次式の通りである。
【数２】
2004173153.tif 000004
定数Ｋは送信フィルタのインパルスレスポンス長であり、有限相関長のディジタルフィルタ（トランスバーサルフィルタ）のタップ数に相当している。
電力スペクトルＰ（ｗ）は、自己相関関数のフーリエ変換であるから、次式で与えられる。
【数３】
2004173153.tif 000005
なお、ディジタルフィルタを用いることを想定しているので、式（ｂ），（ｃ）における積分は離散的な数値積分で、Ｔｓ  ／  Ｍの時間間隔に４点取る（４倍オーバサンプ）とした。すなわち、サンプリング間隔を、Ｔｓ  ／４Ｍ、最高周波数を２Ｍ／Ｔｓとした。
【００３６】
図６は、ロールオフ率＝０．２のルート・ロールオフフィルタを送信側と受信側に用いた場合の出力電力スペクトルを示すグラフである。フィルタのタップ数は１０１，２０１または４０１とした。
図１１に示した従来のＯＦＤＭ信号の出力電力スペクトルと比較すると、低い帯域外輻射レベルが達成される。信号帯域幅は、図１１に示したような、従来の時間領域ウインドウを乗算する場合と比べて、帯域外輻射レベル−４０  ｄＢで６０％程度になることがわかる。
【００３７】
上述したルート・ロールオフフィルタをディジタルフィルタで実現する場合、有限のインパルスレスポンス長で作らざるを得ない。その結果、インパルスレスポンスを途中で打ち切ることになり、打ち切りが不連続を発生させることになるため、図６に示されるように、出力電力スペクトルは長い裾を引き、帯域外輻射レベルが増加している。
ロールオフ率を小さくすれば、遷移領域で急速に電力スペクトル密度が低下することになるので、周波数利用効率を高められるので好ましい。しかし、ロールオフ率を小さくするほど、裾の引きが長くなり帯域外輻射レベルが大きくなる。この原因は、小さいロールオフ率ほど、インパルス応答の時間相関長が長くなってしまうので、打ち切り誤差の影響が大となるためである。
【００３８】
そこで、以下に説明する本発明の第２の実施形態においては、上述した打ち切りの影響を低減するために、送信機側のルート・ロールオフフィルタについて、インパルスレスポンスの最適化を行う。
最適化した結果得られる送受信フィルタの総合伝送特性は、２乗余弦ロールオフ特性とは異なるものとなり、インパルスレスポンスの打ち切りが存在する条件下において、帯域外輻射レベルの低減を実現するものである。
最適化の具体的条件の一例として、（１）送信側と受信側とを合わせた総合伝送特性が、ナイキスト第１基準（符号間干渉なし）を満たすこと、（２）受信機のフィルタは理想的な２乗余弦のルート・ロールオフフィルタとした。
【００３９】
図２は、本発明の第２実施形態を説明するためのブロック構成図である。
図中、図９，図１と同様な部分には同じ符号を付して説明を省略する。
２１Ｉ，２１Ｑはインパルスレスポンスを最適化したスペクトル整形フィルタである。受信側のルート・ロールオフフィルタ１１Ｉ，１１Ｑは、図１と同様のものである。
【００４０】
図３は、インパルスレスポンスを最適化したときのロールオフフィルタの説明図である。図３（ａ）は最適化の第１具体例、図３（ｂ）は最適化の第２具体例の説明図である。
図中、横軸は正規化周波数（正側のみを示す）、縦軸は出力レベルである。
ナイキスト第１基準によれば、理想低域通過フィルタの遮断周波数（ナイキスト周波数、正規化周波数＝０．５）の出力レベル０．５（−６ｄＢ）の点に対して、肩特性が奇関数であれば、符号間干渉なしの条件を満たす。
【００４１】
図３（ａ）において、３１はロールオフ率α＝０．２としたときの２乗余弦ロールオフ特性であり、ナイキスト第１基準を満たすフィルタ特性である。矩形特性（理想低域通過フィルタ），３角形特性，台形特性といったものも、ナイキスト第１基準を満たすが、傾きに非連続点があるため、インパルスレスポンス長が増加するため用いられない。
この実施の形態においては、ここで、この２乗余弦ロールオフ特性３１を基本伝達関数とし、さらに、遷移領域の中心周波数に対し奇関数である１または複数の補正伝達関数を加算して帯域外輻射レベルを低減したものである。ナイキスト第１基準は満たしているので、符号間干渉は生じない。
図３（ａ）の例では、遷移領域の外側境界３２（正規化周波数０．６）を、所要の帯域と帯域外との境界（周波数ｆ１）としている。必ずしも、このようにする必要はなく、所要の帯域と帯域外との境界とする周波数ｆ１は、任意に設定して最適化計算をすることができる。
図３（ａ）に示したような、遷移領域の外側境帯域外輻射レベルが僅かな値であるため、リニアスケールでは、補正後の伝達関数と２乗余弦ロールオフ特性３１との差は識別しにくいが、図７を参照して後述するログスケールの電力スペクトルでは識別できる。
送信側のスペクトル整形フィルタ２１Ｉ，２１Ｑは、総合伝送特性の一部を分配された特性となる。そのため、その特性は、総合伝送特性の伝達関数を受信フィルタの伝達関数で除算した伝達関数で表される。補正伝達関数としては、前記遷移領域における、前記１または複数の補正伝達関数は、奇数次の余弦関数となるものであり、総合伝送特性の伝達関数は、前記遷移領域の両端の各周波数において連続している。
【００４２】
この実施の形態における送信フィルタと受信フィルタとの総合伝送特性Ｆ（ｗ）は、次式の通りである。ｗは角周波数であり、正負の値をとる。ｐは次数、αｐは次数ｐにおける係数であって、αｐＦｐ（ｗ）は各次数ｐ（１次以上Ｐ次以下）における周波数特性である。
Ｆ０（ｗ）＋Ｆ１（ｗ）のみの場合は、従来の２乗余弦ロールオフ特性にとなる。
【数４】
2004173153.tif 000006
ここで、各次数ｐ（１次以上Ｐ次以下）における係数αｐの総和は１である。すなわち、
【数５】
2004173153.tif 000007
【００４３】
式（２）は、周波数特性が、遷移領域の両側で連続となるための条件である。
式（１）（２）を変形して次式（３）を得る。
【数６】
2004173153.tif 000008
ここで、
【数７】
2004173153.tif 000009
【数８】
2004173153.tif 000010
上述した式（４）（５）は、式（３）中のＦ０（ｗ），Ｆ１（ｗ）を示している。αはロールオフ率、Ｍはサブキャリア数（総数）、Ｔｓは、送信側におけるシリアル・パラレル変換後の並列シンボル列のシンボル間隔（ＯＦＤＭ信号のシンボル区間長）である。
式（１）でＰ＝１（すなわち、ｐ＝０，１のときの和）の場合は、図３の３１に示す、従来の２乗余弦ロールオフフィルタとなる。
Ｆｐ（ｗ）  （ｐ≧２）は、インパルスレスポンスを最適化（帯域外輻射レベルを低減）するためにＦｐ（ｗ）  （ｐ＝１）を拡張した関数である。
【００４４】
すなわち、従来の２乗余弦ロールオフフィルタは、通過周波数帯域と遮断周波数帯域の間の肩特性（遷移特性）として、余弦関数ｃｏｓ（ｘ）を使用している。この実施の形態における送受信フィルタの総合伝送特性では、肩特性として、奇数次（基本周期の奇数分の１の周期）の余弦（ｃｏｓｉｎｅ）関数群、すなわち、ｃｏｓ（ｘ）  ，ｃｏｓ（３ｘ）  ，ｃｏｓ（５ｘ）  ，…  ，ｃｏｓ［（２Ｐ−１）ｘ］  の組み合わせを使用している。
図４は、ロールオフ率α＝０．２としたときのＦｐ（ｗ）を示すグラフである。あわせて、Ｆ０（ｗ）も図示している。正規化周波数が負の領域は図示していないが正負対称である。
図４から明らかなように、上述したｃｏｓｉｎｅ関数群は、いずれも遷移領域の中心（正規化周波数０．５）に対して奇関数である。従って、符号間干渉なしの条件を満たし、拡張２乗余弦ロールオフフィルタとでもいうべきものが実現される。
【００４５】
この実施の形態における送信信号、すなわち、スペクトル整形フィルタが出力する送信信号の帯域外輻射レベルを求め、この帯域外輻射レベルが最小となるように次数ｐにおける係数αｐを設定した場合の、出力電力スペクトルを求める。
この実施の形態では、受信側のフィルタ（図２の１１Ｉ，１１Ｑ）を理想ルート・ロールオフ（ｒｏｏｔ  ｒｏｌｌ−ｏｆｆ）特性（２乗余弦のロールオフ特性）と仮定した。従って、上述した式（１）の総合伝送特性を、受信側の特性（理想ルート・ロールオフ特性）で割り算すれば、送信側のフィルタ特性、すなわち、図２のスペクトル整形フィルタ２１Ｉ，２１Ｑの特性が求まる。
【００４６】
送信側のフィルタ特性をＧ（ｗ）とすると、次式の通りである。
【数９】
2004173153.tif 000011
ここで、式（６）中のＧ１（ｗ），Ｇｐ（ｗ）は、次式の通りである。なお、式（７）のＧ１（ｗ）は理想ルート・ロールオフ特性である。
【数１０】
2004173153.tif 000012
【００４７】
上述した式（６）のＧ（ｗ）を送信フィルタの特性とした場合、その出力電力スペクトルＰ（ｗ）は次式となる。数式の導出過程は省略する。
【数１１】
2004173153.tif 000013
ここで、ｃ（ｗ），Ｈｐ（ｗ）は、次式の通りである。
【数１２】
2004173153.tif 000014
式（１０），（１１）において、ｗｍはｍ番目のサブキャリアの角周波数、Ｔｓは送信側における直並列変換後の並列シンボル列のシンボル間隔（ＯＦＤＭ信号のシンボル区間長）、定数Ｋは送信フィルタのインパルスレスポンス長であり、有限相関長のディジタルフィルタ（トランスバーサルフィルタ）のタップ数に相当している。
【００４８】
帯域外輻射レベルＰｔは、式（９）の出力電力スペクトルを、帯域外周波数において積分して得られるため、次式のように与えられる。
【数１３】
2004173153.tif 000015
ここでｗ１は既に説明したように、最適化の際の帯域内と帯域外との境界であると定義した角周波数、ｗ２はサンプリング定理から決まる最高角周波数である。この境界を周波数ｆ１で定義すればｆ１＝ｗ１／２π、最高角周波数ｗ２を周波数で定義すればｆ２＝ｗ２／２πで与えられる。ディジタルフィルタを前提にすれば、最高周波数はサンプリング周波数の１／２、４倍オーバサンプリングであれば、サンプリング周波数は正規化周波数で４であるから、最高周波数は２となる。
上述した式（１２）は、各αＰ  （ｐ≧２）の２次関数であり（αｐとαｑとを、ｐ＝２，…Ｐ、ｑ＝２，…Ｐに関して乗算している）、かつ、２次係数が全て正であるため、その極値が帯域外輻射レベルの最小値を与える。各αＰ  （ｐ≧２）について式（１２）を微分した各式において、極値を与える各αＰ  （ｐ≧２）の値を求め、これらを（２）式に代入してα１を得、さらに、このα１とともに、（６）式に代入してフーリエ変換すれば、帯域外輻射レベルを最小にするインパルスレスポンスが求まる。
【００４９】
図３（ｂ）に示すように、境界３４を周波数ｆ１＝０．５５とした場合のロールオフ特性３５としては、ロールオフ率α＝０．１（遷移領域０．４５≦ｆ≦０．５５）とした場合とほぼ同様の急峻な特性が得られる。
すなわち、境界３４の周波数ｆ１よりも外の帯域の輻射レベルが最小になるように係数を設定したために、境界３４の周波数ｆ１＝０．５５から外側の送信フィルタ伝送特性の振幅は著しく低減される。これは、後述する図７（ｂ）に示す最適化後の出力電力スペクトルと図１２の振幅制御なしの出力電力スペクトルを比較すれば明らかである。結果として周波数ｆ１から外側の総合伝送特性の振幅は著しく低減される。総合伝送特性はナイキスト周波数（正規化周波数０．５）の出力０．５（−６ｄＢ）の点の前後で奇関数となる特性を維持するので、周波数ｆ＝０．４５においては、ほぼ１．０（０ｄＢ）となる。その結果、ロールオフ率α＝０．１（遷移領域０．４５≦ｆ≦０．５５）とした場合と同様の急峻な遷移特性が得られる。しかも、この境界３４の周波数ｆ１からの帯域外輻射レベルが最小であるので、単なるロールオフ率α＝０．１をディジタルフィルタで実現した場合と比べて、帯域外輻射電力レベルが小さくなる。
【００５０】
キャリア数Ｍ＝６４、４倍オーバサンプルでディジタルフィルタのタップ数＝２０１、ロールオフ率α＝０．２、境界の周波数ｆ１＝０．５５、Ｐ＝５（余弦関数の次数としては９次まで）としたときのαｐ（１≦ｐ≦５）は次の通りである。
α１＝１−（α２＋α３＋α４＋α５）
α２＝０．３０８４００４０６
α３＝−０．１００２７９１６７
α４＝０．０２５００５５１４
α５＝−０．００３２６８２１６９１
【００５１】
図５は、帯域外輻射レベルを最小にしたときの送信側のスペクトル整形フィルタ２１Ｉ，２１Ｑのインパルスレスホンスを示すグラフである。図中、横軸はサンプルタイミング、縦軸は出力値（リニアスケール）である。スペクトル整形フィルタ２１Ｉ，２１Ｑは、例えば、直列化された遅延要素の各タップの出力にそれぞれタップ係数を乗算し、各乗算結果を加算して出力するトランスバーサルフィルタ（ＦＩＲフィルタ：有限長インパルス応答フィルタ）で実現される。この場合、上述したインパルスレスポンスの値は横軸をタップ番号としたときのタップ係数を与える。既に説明したように、２０１タップで、４倍オーバサンプリングを行った場合を示す。
なお、スペクトル整形フィルタ２１Ｉ，２１Ｑの出力はＤ／Ａ変換されるが、Ｄ／Ａ変換器の出力は、インパルスではなく矩形となるため、いわゆるアパーチャ効果により、実質的な伝送路の総合伝達特性の高域が下がることになるが、オーバサンプル率が高ければ事実上無視できる。無視できないときには、例えば、このスペクトル整形フィルタ２１Ｉ，２１Ｑなどにおいて特性を補償すればよい。
【００５２】
図７は、帯域外輻射レベルが最小になるように最適化したときの、出力電力スペクトルを示す図である。図６と同じ設定条件での特性である。
図７（ａ）は、所要帯域と帯域外との境界と定義する周波数ｆ１＝０．６、図７（ｂ）はｆ１＝０．５５とした場合を示している。
最適化によりサイドローブのない準矩形の出力電力スペクトルが得られた。電力密度が−１００ｄＢ以下の範囲では裾を引いているが、図示の範囲外となっている。比較例として、第１の実施形態である２乗余弦ロールオフフィルタの場合を示している。
図７（ｂ）において、帯域外輻射レベルが−４０ｄＢとなる信号帯域は、ナイキスト周波数の１．０６倍、帯域外輻射レベルが−６０ｄＢとなる信号帯域は、ナイキスト周波数の１．０８倍にすぎないので、周波数利用効率が著しく改善される。図１１に図示したような、従来の時間領域ウインドウを乗算した場合よりも、遙かに低い帯域外輻射レベルが達成される。
【００５３】
図８は、第２の実施形態における出力電力スペクトルのキャリア数依存性を示すグラフである。キャリア数Ｍは、１６，３２および６４の３通りとした。キャリア数の増加に伴い帯域外輻射レベルが減少することがわかる。キャリア数６４では著しく低減される。キャリア数があまりにも少ない場合には、フィルタのタップ数を増やす必要がある。
【００５４】
上述した説明では、２乗余弦ロールオフ特性の関数（基本伝達関数）に加える関数（補正伝達関数）として３次以上の奇数次ｃｏｓ関数群（ｃｏｓ（３ｘ），ｃｏｓ（５ｘ）…）とした。原理上、ナイキスト周波数に対して奇関数となる関数群であれば、ナイキストの第１条件を満たすフィルタとなり、かつ、帯域外輻射レベルを低減するように関数群の係数を最適化することができる。
従って、上述した具体例以外の基本伝達関数、補正伝達関数を採用してもよい。例えば、補正伝達関数として、正弦（ｓｉｎ）関数群を用いることができる。また、ｓｉｎ関数群と上述したｃｏｓ関数群とを組み合わせたものでも構わない。
また、ロールオフ特性の関数に加える関数として実数部のみからなる関数を用いたが、虚数部を有するものでもよい。虚数部が、ナイキスト周波数に対して偶関数となる場合にもナイキスト第１基準を満たすことが知られている。
【００５５】
上述した説明では、サブキャリア数（Ｌ）は、通常、ＩＦＴ２のポイント数（Ｍ）に等しいとしたが、他の通信システムとの間の相互干渉を避ける等のために、意図的に任意の数のサブキャリアを使用しない場合がある。このような場合でもＩＦＴ２のポイント数（Ｍ）は変更しないため、ＬとＭの値は必ずしも一致しない。
【００５６】
上述した説明では、無線ＬＡＮシステムに用いるＯＦＤＭ通信システムを前提として説明したので、送信複素シンボル列としては、ディジタル変調規則に従ってマッピングされた複素信号となる。しかし、送信複素シンボル列としては、ディジタル変調規則に従ってマッピングされた複素信号が時間軸方向に拡散符号で符号拡散されたものであってもよい。あるいは、直並列変換されたサブキャリアの複素振幅レベルが、周波数軸方向（サブキャリアの配列方向）に拡散符号が割り当てられて符号拡散されて、ＩＦＴに出力されるものであってもよい。このように、ＩＦＴに入力される前の送信複素シンボルが何であっても構わない。
また、通信システムの用途は、無線ＬＡＮに限られるものではない。携帯電話などの移動無線通信ネットワークにおける移動局基地局間通信システムにおける上りおよび下り伝送路の少なくとも一方の通信システムに適用してもよい。
【００５７】
上述した説明では、本発明のフィルタをＯＦＤＭ通信システムの送信フィルタに適用したが、他の用途に使用して、ナイキスト第１基準を満足するとともに、帯域外出力信号電力レベルを低減することも可能である。例えば、ディジタル変調を用いずに、２値あるいは多値の実数部のみの信号を用いる有線あるいは光通信ベースバンド通信システムに適用することができる。
また、ナイキスト第１基準を満たす特性の一端を担う基本となる伝達関数を、ナイキスト第１基準を満たす１または複数の伝達関数群を使用して修正する手法を、帯域外輻射レベル低減以外の目的のために採用することもできる。
【００５８】
【発明の効果】
上述した説明から明らかなように、本発明の送信装置は、帯域外輻射電力レベルを低減させることが難しかった、ＩＦＴにより作成されたＯＦＤＭ信号を送信する通信システムにおいて、ナイキスト第１基準を満足して符号間干渉を生じることなく、所要帯域外の輻射電力レベルが低減するという効果がある。
また、本発明のフィルタ装置は、上述した通信システム等の送信フィルタとして使用して、ナイキスト第１基準を満足して符号間干渉を生じることなく、所要帯域外の輻射電力レベルが低減するという効果がある。
【図面の簡単な説明】
【図１】本発明の第１実施形態の説明図である。図１（ａ）はブロック構成図、図１（ｂ）は動作説明図である。
【図２】本発明の第２実施形態を説明するためのブロック構成図である。
【図３】インパルスレスポンスを最適化したロールオフフィルタの説明図である。
【図４】ロールオフ率α＝０．２としたときのＦｐ（ｗ）を示すグラフである。
【図５】帯域外輻射レベルを最小にしたときのスペクトル整形フィルタ２１Ｉ，２１Ｑのインパルスレスホンスを示すグラフである。
【図６】ロールオフ率０．２のルート・ロールオフフィルタを送信側と受信側に用いた場合の出力電力スペクトルを示すグラフである。
【図７】帯域外輻射レベルが最小になるように最適化したときの、出力電力スペクトルを示す図である。
【図８】第２の実施形態における出力電力スペクトルのキャリア数依存性を示すグラフである。
【図９】従来のＯＦＤＭ通信システムのブロック構成図である。
【図１０】従来のＯＦＤＭ通信システムにおける、送信機側における振幅制御を説明するための窓関数の説明図である。
【図１１】従来のＯＦＤＭ通信システムにおける、出力信号電力スペクトルを示すグラフである。
【図１２】従来のシングルキャリア通信システムのブロック構成図およびロールオフ特性を示すグラフである。
【符号の説明】
１…直並列変換器、２…ＩＦＴ（逆フーリエ変換）部、３Ｉ，３Ｑ…送信機側のルート・ロールオフフィルタ、４Ｉ，４Ｑ…乗算器、５…キャリア信号発振器、６…加算器、７…伝送路、８…分岐部、９Ｉ，９Ｑ…乗算器、１０…キャリア信号発振器、１１Ｉ，１１Ｑ…受信機側のルート・ロールオフフィルタ、１２…ＦＴ（フーリエ変換）部、１３…並直列変換器、２１Ｉ，２１Ｑ…インパルスレスポンスを最適化したスペクトル整形フィルタ
【図１】
2004173153.tif 000016
【図２】
2004173153.tif 000017
【図３】
2004173153.tif 000018
【図４】
2004173153.tif 000019
【図５】
2004173153.tif 000020
【図６】
2004173153.tif 000021
【図７】
2004173153.tif 000022
【図８】
2004173153.tif 000023
【図９】
2004173153.tif 000024
【図１０】
2004173153.tif 000025
【図１１】
2004173153.tif 000026
【図１２】
2004173153.tif 000027